【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
トナーとキャリア液とを有する液体現像剤を担持する現像ローラと、
溝部を有し、前記現像ローラに前記液体現像剤を供給するアニロックスローラと、
前記アニロックスローラと接触して該アニロックスローラに前記液体現像剤を供給する供給ローラと、
前記供給ローラに交流バイアスを印加する電圧印加手段と、
前記供給ローラに供給する前記液体現像剤を貯蔵する現像剤貯蔵部と、
を有することを特徴とする現像装置。
【請求項２】
前記現像ローラに直流電圧を印加するとともに、前記供給ローラに前記現像ローラに印加された前記直流電圧と同じ直流電圧を印加する請求項１に記載の現像装置。
【請求項３】
前記供給ローラに印加される前記交流バイアスは、矩形波である請求項１または２に記載の現像装置。
【請求項４】
前記アニロックスローラと前記供給ローラとは同一方向に回転させる請求項１乃至３のいずれか1項に記載の現像装置。
【請求項５】
トナーとキャリア液とを有する液体現像剤を担持する現像ローラと、
溝部を有し、前記現像ローラに前記液体現像剤を供給するアニロックスローラと、
前記アニロックスローラと接触して該アニロックスローラが前記現像ローラに供給する前記液体現像剤の量を規制する規制ブレードと、
前記規制ブレードに交流バイアスを印加する電圧印加手段と、
前記アニロックスローラに前記液体現像剤を供給する供給ローラと、
前記供給ローラに供給する前記液体現像剤を貯蔵する現像剤貯蔵部と、
を有することを特徴とする現像装置。
【請求項６】
前記現像ローラに直流電圧を印加するとともに、前記規制ブレードに前記現像ローラに印加された前記直流電圧と同じ直流電圧を印加する請求項５に記載の現像装置。
【請求項７】
前記規制ブレードに印加される前記交流バイアスは、矩形波である請求項５または６に
記載の現像装置。
【請求項８】
潜像が形成される潜像担持体と、
トナーとキャリア液とを有する液体現像剤を担持して前記潜像を現像する現像ローラ、溝部を有して前記現像ローラに前記液体現像剤を供給するアニロックスローラ、前記アニロックスローラと接触して該アニロックスローラに前記液体現像剤を供給する供給ローラ、及び前記供給ローラに供給する前記液体現像剤を貯蔵する現像剤貯蔵部を有する現像部と、
前記供給ローラに交流バイアスを印加する電圧印加手段と、
前記現像部で現像された像を転写部材に転写する転写部と、
を有することを特徴とする画像形成装置。
【請求項９】
潜像が形成される潜像担持体と、
トナーとキャリア液とを有する液体現像剤を担持して前記潜像を現像する現像ローラ、溝部を有して前記現像ローラに前記液体現像剤を供給するアニロックスローラ、  前記アニロックスローラと接触して該アニロックスローラが前記現像ローラに供給する前記液体現像剤の量を規制する規制ブレード、前記アニロックスローラと接触して該アニロックスローラに前記液体現像剤を供給する供給ローラ、及び前記供給ローラに供給する前記液体現像剤を貯蔵する現像剤貯蔵部を有する現像部と、
前記規制ブレードに交流バイアスを印加する電圧印加手段と、
前記現像部で現像された像を転写部材に転写する転写部と、
を有することを特徴とする画像形成装置。
【請求項１０】
像担持体に形成した潜像を現像ローラによって液体現像剤を用い現像する画像形成装置であって、該現像ローラに対して液体現像剤を供給するアニロックスローラを備え、液体現像剤を貯蔵する現像剤容器に設けられ、該アニロックスローラに接触し、該アニロックスローラに液体現像剤を供給する供給ローラに交流電圧を印加することを特徴とする画像形成装置。
【請求項１１】
像担持体に形成した潜像を現像ローラによって液体現像剤を用い現像する画像形成装置であって、該現像ローラに対して液体現像剤を供給するアニロックスローラを備え、該アニロックスローラに接触し、該アニロックスローラの液体現像剤を規制する規制ブレードに交流電圧を印加することを特徴とする画像形成装置。
【手続補正２】
【補正対象書類名】明細書
【補正対象項目名】発明の名称
【補正方法】変更
【補正の内容】
【発明の名称】現像装置および画像形成装置
【手続補正３】
【補正対象書類名】明細書
【補正対象項目名】０００５
【補正方法】変更
【補正の内容】
【０００５】
本発明は上記課題を解決するためのもので、本発明に係る現像装置は、トナーとキャリア液とを有する液体現像剤を担持する現像ローラと、溝部を有し、前記現像ローラに前記液体現像剤を供給するアニロックスローラと、前記アニロックスローラと接触して該アニ
ロックスローラに前記液体現像剤を供給する供給ローラと、前記供給ローラに交流バイアスを印加する電圧印加手段と、前記供給ローラに供給する前記液体現像剤を貯蔵する現像剤貯蔵部と、を有することを特徴とする。
また、本発明に係る現像装置は、前記現像ローラに直流電圧を印加するとともに、前記供給ローラに前記現像ローラに印加された前記直流電圧と同じ直流電圧を印加する。
また、本発明に係る現像装置は、前記供給ローラに印加される前記交流バイアスは、矩形波である。
また、本発明に係る現像装置は、前記アニロックスローラと前記供給ローラとは同一方向に回転させる。
また、本発明に係る現像装置は、トナーとキャリア液とを有する液体現像剤を担持する現像ローラと、溝部を有し、前記現像ローラに前記液体現像剤を供給するアニロックスローラと、前記アニロックスローラと接触して該アニロックスローラが前記現像ローラに供給する前記液体現像剤の量を規制する規制ブレードと、前記規制ブレードに交流バイアスを印加する電圧印加手段と、前記アニロックスローラに前記液体現像剤を供給する供給ローラと、前記供給ローラに供給する前記液体現像剤を貯蔵する現像剤貯蔵部と、を有することを特徴とする。
また、本発明に係る現像装置は、前記現像ローラに直流電圧を印加するとともに、前記規制ブレードに前記現像ローラに印加された前記直流電圧と同じ直流電圧を印加する。
また、本発明に係る現像装置は、前記規制ブレードに印加される前記交流バイアスは、矩形波である。
また、本発明に係る画像形成装置は、潜像が形成される潜像担持体と、トナーとキャリア液とを有する液体現像剤を担持して前記潜像を現像する現像ローラ、溝部を有して前記現像ローラに前記液体現像剤を供給するアニロックスローラ、前記アニロックスローラと接触して該アニロックスローラに前記液体現像剤を供給する供給ローラ、及び前記供給ローラに供給する前記液体現像剤を貯蔵する現像剤貯蔵部を有する現像部と、前記供給ローラに交流バイアスを印加する電圧印加手段と、前記現像部で現像された像を転写部材に転写する転写部と、を有することを特徴とする。
また、本発明に係る画像形成装置は、潜像が形成される潜像担持体と、トナーとキャリア液とを有する液体現像剤を担持して前記潜像を現像する現像ローラ、溝部を有して前記現像ローラに前記液体現像剤を供給するアニロックスローラ、  前記アニロックスローラと接触して該アニロックスローラが前記現像ローラに供給する前記液体現像剤の量を規制する規制ブレード、前記アニロックスローラと接触して該アニロックスローラに前記液体現像剤を供給する供給ローラ、及び前記供給ローラに供給する前記液体現像剤を貯蔵する現像剤貯蔵部を有する現像部と、前記規制ブレードに交流バイアスを印加する電圧印加手段と、前記現像部で現像された像を転写部材に転写する転写部と、を有することを特徴とする。
また、本発明に係る画像形成装置は、像担持体に形成した潜像を現像ローラによって液体現像剤を用い現像する画像形成装置であって、該現像ローラに対して液体現像剤を供給するアニロックスローラを備え、液体現像剤を貯蔵する現像剤容器に設けられ、該アニロックスローラに接触し、該アニロックスローラに液体現像剤を供給する供給ローラに交流電圧を印加することを特徴とする。
また、本発明に係る画像形成装置は、像担持体に形成した潜像を現像ローラによって液体現像剤を用い現像する画像形成装置であって、該現像ローラに対して液体現像剤を供給するアニロックスローラを備え、該アニロックスローラに接触し、該アニロックスローラの液体現像剤を規制する規制ブレードに交流電圧を印加することを特徴とする。
【手続補正４】
【補正対象書類名】明細書
【補正対象項目名】０００６
【補正方法】変更
【補正の内容】
【０００６】
なお、本発明に関連して、以下のような参考実施形態も有効な構成であることを付記しておく。すなわち、有効な構成としての、本発明の参考実施形態に係る画像形成装置は、像担持体上に形成した潜像を現像ローラによって液体現像剤を用い現像する画像形成装置において、該現像ローラに対して液体現像剤を供給するアニロックスローラを備え、液体現像剤を貯蔵する現像剤容器に設けられ、該アニロックスローラに接触し、該アニロックスローラに液体現像剤を供給する供給ローラに交流電圧を印加することを特徴とする。
また、本発明の参考実施形態に係る画像形成装置は、像担持体上に形成した潜像を現像ローラによって液体現像剤を用い現像する画像形成装置において、該現像ローラに対して液体現像剤を供給するアニロックスローラを備え、該アニロックスローラに接触し、該アニロックスローラ上の液体現像剤を規制する規制ブレードに交流電圧を印加することを特徴とする。